(57)【特許請求の範囲】
【請求項１】
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、前記ネイバー報告要求をワイヤレスに通信することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントに前記ネイバー報告をワイヤレスに通信することと
を備える、方法。
【請求項２】
前記第１のアクセスポイントからビーコン報告要求フレームを受信することと、前記ビーコン報告要求フレーム中に含まれるショートネイバー報告（ＳＮＲ）要素識別子（ＩＤ）を検出することとをさらに備え、前記ネイバークエリ要求が、前記ＳＮＲ要素ＩＤによって示され、前記ＳＮＲ要素ＩＤが、前記ビーコン報告要求フレームの測定フィールド中に含まれる、請求項１に記載の方法。
【請求項３】
前記ネイバークエリ要求に応答して、前記第２のアクセスポイントから前記ネイバー報告を取得するために通信チャネルを走査することをさらに備える、請求項１に記載の方法。
【請求項４】
前記通信チャネルを使用して前記第２のアクセスポイントによってワイヤレスに通信される、ビーコンメッセージ、プローブ応答メッセージ、または高速初期リンクセットアップ（ＦＩＬＳ）発見フレームのうちの少なくとも１つを受信することをさらに備える、請求項３に記載の方法。
【請求項５】
前記ネイバークエリ要求が、前記局のメモリに記憶されたネイバー報告を前記第１のアクセスポイントにワイヤレスに通信することを前記局に行わせる情報を含み、前記記憶されたネイバー報告が、前記局によって受信されたビーコン、前記局によって受信された応答、前記局によって受信された高速初期リンクセットアップ（ＦＩＬＳ）発見フレーム、またはそれらの任意の組合せに基づく、請求項１に記載の方法。
【請求項６】
ビーコンメッセージ、プローブ応答メッセージ、または高速初期リンクセットアップ（ＦＩＬＳ）発見フレーム中で前記第２のアクセスポイントから前記ネイバー報告を受信することをさらに備える、請求項１に記載の方法。
【請求項７】
前記ネイバー報告が、前記局によって受信されたパブリックアクションフレーム中に含まれる、請求項６に記載の方法。
【請求項８】
前記パブリックアクションフレームが、ベンダー固有のパブリックアクションフレームを備える、請求項７に記載の方法。
【請求項９】
プロセッサと、
前記プロセッサによってアクセス可能なメモリであって、
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、ワイヤレスに通信されるべき前記ネイバー報告要求を開始することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントにワイヤレスに通信されるべき前記ネイバー報告を開始することと
を行うように前記プロセッサによって実行可能な命令を備えるメモリと
を備える、装置。
【請求項１０】
前記第２のアクセスポイントの前記ネイバー報告が、電気電子技術者協会（ＩＥＥＥ）８０２．１１ａｉ規格、ＩＥＥＥ８０２．１１ｋ規格、またはそれらの組合せに準拠している、請求項９に記載の装置。
【請求項１１】
前記第２のアクセスポイントからの前記ネイバー報告が、電気電子技術者協会（ＩＥＥＥ）８０２．１１ａｉ規格に準拠しているショートネイバー報告（ＳＮＲ）情報要素（ＩＥ）を備えるか、またはＩＥＥＥ８０２．１１ｋ規格に準拠しているビーコン報告を備える、請求項９に記載の装置。
【請求項１２】
前記ネイバークエリ要求に応答して前記第１のアクセスポイントに前記第２のアクセスポイントの前記ネイバー報告をワイヤレスに通信するように構成されたトランシーバをさらに備え、前記第２のアクセスポイントに関連付けられていない前記局が、前記第２のアクセスポイントに関して未認証状態にある、請求項９に記載の装置。
【請求項１３】
前記第１のアクセスポイントからビーコン報告要求フレームを受信するように構成されたトランシーバをさらに備え、前記ビーコン報告要求フレームが、前記ネイバークエリ要求を含む、請求項９に記載の装置。
【請求項１４】
前記ネイバークエリ要求が、ベンダー指定のフィールドまたは前記ビーコン報告要求フレームの予約済みフィールド中に含まれる、請求項１３に記載の装置。
【請求項１５】
前記ネイバークエリ要求が、ショートネイバー報告（ＳＮＲ）要素識別子（ＩＤ）によって示され、前記ＳＮＲ要素ＩＤが、前記ビーコン報告要求フレームの測定フィールド中に含まれる、請求項１３に記載の装置。
【請求項１６】
前記ビーコン報告要求フレームが、電気電子技術者協会（ＩＥＥＥ）８０２．１１ｋ規格に準拠している、請求項１３に記載の装置。
【請求項１７】
前記命令が、さらに、
前記第１のアクセスポイントから受信された前記ビーコン報告要求フレームに応答してビーコン報告を生成することと、
前記第１のアクセスポイントに前記ビーコン報告をワイヤレスに通信することと、ここにおいて、前記ビーコン報告が、前記第２のアクセスポイントの前記ネイバー報告を備える、
を行うように前記プロセッサによって実行可能である、請求項１３に記載の装置。
【請求項１８】
前記第１のアクセスポイントが、前記第１のアクセスポイントの第１のネイバー報告によって識別された特定のアクセスポイントを識別するように構成され、前記特定のアクセスポイントが、前記ビーコン報告に基づいて前記第１のアクセスポイントによって識別される、請求項１７に記載の装置。
【請求項１９】
非一時的コンピュータ可読媒体であって、
プロセッサによって実行されたときに、
第１のアクセスポイントに関連付けられた局において前記第１のアクセスポイントからネイバークエリ要求を受信することと、
第２のアクセスポイントのネイバー報告を前記局にワイヤレスに通信することを前記第２のアクセスポイントに求めるネイバー報告要求を含むパブリックアクションフレームを生成することと、ここにおいて、前記パブリックアクションフレームが、ベンダー固有のパブリックアクションフレームを備える、
前記ネイバークエリ要求に応答して、ワイヤレスに通信されるべき前記ネイバー報告要求を開始することと、
前記ベンダー固有のパブリックアクションフレームに応答して前記第２のアクセスポイントからメッセージを受信することと、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントにワイヤレスに通信されるべき前記ネイバー報告を開始することと
を前記プロセッサに行わせる命令を備える、非一時的コンピュータ可読媒体。
【請求項２０】
前記ネイバークエリ要求が、前記第２のアクセスポイントにネイバー報告要求をワイヤレスに通信することを前記局に行わせる情報、前記第２のアクセスポイントから前記ネイバー報告を受信するために通信チャネルを走査することを前記局に行わせる情報、またはそれらの組合せを含む、請求項１９に記載の非一時的コンピュータ可読媒体。
【請求項２１】
前記第１のアクセスポイントが、第１のネイバー報告を記憶し、前記第１のネイバー報告が、電気電子技術者協会（ＩＥＥＥ）８０２．１１ａｉ規格に準拠する、請求項２０に記載の非一時的コンピュータ可読媒体。
【請求項２２】
第１のアクセスポイントに関連付けられた局において前記第１のアクセスポイントからネイバークエリ要求を受信するための手段と、
第２のアクセスポイントのネイバー報告を前記局にワイヤレスに通信することを前記第２のアクセスポイントに求めるネイバー報告要求を含むパブリックアクションフレームを生成するための手段と、ここにおいて、前記パブリックアクションフレームが、ベンダー固有のパブリックアクションフレームを備える、
前記ネイバークエリ要求に応答して、前記ネイバー報告要求をワイヤレスに通信するための手段と、
前記ベンダー固有のパブリックアクションフレームに応答して前記第２のアクセスポイントからメッセージを受信するための手段と、ここにおいて、前記第２のアクセスポイントと前記局とが異なるベンダーからのものである場合、アサートされた不適格フラグまたはアサートされた拒否フラグを前記メッセージが含む、
前記局が前記第２のアクセスポイントに関連付けられていない間に、前記局から前記第１のアクセスポイントに前記ネイバー報告をワイヤレスに通信するための手段と
を備える、装置。
【請求項２３】
前記ネイバークエリ要求が、前記局のメモリに記憶された第２のネイバー報告を前記第１のアクセスポイントにワイヤレスに通信することを前記局に行わせる情報を含み、前記記憶された第２のネイバー報告が、前記局によって受信されたビーコン、前記局によって受信された応答、前記局によって受信された高速初期リンクセットアップ（ＦＩＬＳ）発見フレーム、またはそれらの任意の組合せに基づく、請求項２２に記載の装置。
【請求項２４】
前記第１のアクセスポイントと、前記第２のアクセスポイントと、前記局とのうちの少なくとも２つが、同じベンダーによって製造されるか、同じベンダーによって流通されるか、または同じベンダーによって提供されるソフトウェアに従って動作する、請求項２２に記載の装置。
【請求項２５】
前記ネイバー報告が、電気電子技術者協会（ＩＥＥＥ）８０２．１１ｋ規格に準拠している、請求項２４に記載の装置。
【請求項２６】
前記第２のアクセスポイントが、隣接アクセスポイントから受信されたネイバー報告、前記第２のアクセスポイントに関連付けられた特定の局から受信されたビーコン報告、またはそれらの組合せに基づいてアクセスポイントを識別するために前記第２のアクセスポイントの前記ネイバー報告を生成するように構成された、請求項２２に記載の装置。
【請求項２７】
前記局において第３のアクセスポイントから第２のネイバークエリ要求を受信することと、
前記第２のネイバークエリ要求に応答して、第２のネイバー報告要求を含む第２のベンダー固有のパブリックアクションフレームをワイヤレスに通信することと、
前記第２のベンダー固有のパブリックアクションフレームに応答して、第４のアクセスポイントから第２のメッセージを受信することと、ここにおいて、前記第２のメッセージは、アサートされた不適格フラグまたはアサートされた拒否フラグを前記第２のメッセージが含むことに基づいて、前記第４のアクセスポイントと前記局とが異なるベンダーからのものであることを示す、
をさらに備える、請求項１に記載の方法。
【請求項２８】
前記ベンダー固有のパブリックアクションフレームに応答して第３のアクセスポイントから第２のメッセージを受信することをさらに備え、ここにおいて、前記第２のメッセージは、前記アサートされた不適格フラグまたは前記アサートされた拒否フラグを前記第２のメッセージが含むことに基づいて、前記第３のアクセスポイントと前記局とが異なるベンダーからのものであることを示す、請求項１に記載の方法。
【請求項２９】
ワイヤレスインターフェースと、
前記ワイヤレスインターフェースを介して前記プロセッサに結合されたアンテナと、
をさらに備え、ここにおいて、前記メモリ、前記プロセッサ、前記ワイヤレスインターフェース、および前記アンテナは、モバイル通信デバイスに組み込まれる、
請求項９に記載の装置。
【請求項３０】
前記ネイバークエリ要求を受信するための前記手段、生成するための前記手段、前記ネイバー報告要求をワイヤレスに通信するための前記手段、前記メッセージを受信するための前記手段、前記ネイバー報告をワイヤレスに通信するための前記手段は、モバイル通信デバイスに組み込まれる、請求項２２に記載の装置。
【発明の詳細な説明】
【技術分野】
【０００１】
関連出願の相互参照
[0001]本出願は、その内容全体が参照により明確に組み込まれる、同一出願人が所有する、２０１４年２月２８日に出願された米国仮特許出願第６１／９４６，４１０号、および２０１５年２月２４日に出願された米国非仮特許出願第１４／６３０，５１８号の優先権を主張する。
【背景技術】
【０００２】
[0002]本開示は、一般に、アクセスポイントによって開始されるネイバー報告要求に関する。
【０００３】
[0003]電気電子技術者協会（ＩＥＥＥ）は、その多くが「ＩＥＥＥ８０２．１１」名で呼ばれる、ワイヤレスネットワーキングに関する様々な業界仕様を公表している。典型的には、仕様が作成される前に、特定のワイヤレス技術の利益および実現可能性を評価するために研究グループおよび／またはタスクグループが形成される。たとえば、「ａｉ」タスクグループ（ＴＧａｉまたはＩＥＥＥ８０２．１１ａｉと呼ばれる）は、高速初期リンクセットアップ（ＦＩＬＳ）に関係する。ＴＧａｉは、ビーコン、プローブ応答、またはＦＩＬＳ発見フレーム中でアクセスポイントによって送信され得る、ショートネイバー報告（ＳＮＲ：short neighbor report）情報要素（ＩＥ：information element）などのネイバーフッド情報（neighborhood information）を定義する。しかしながら、ＴＧａｉは、ネイバーフッド情報がアクセスポイントまたは任意の他のデバイスによって収集される方法を指定しない。ＩＥＥＥ８０２．１１ｋ規格は、アクセスポイントに関連付けられる局にビーコン報告（たとえば、ＩＥＥＥ８０２．１１ｋ規格に準拠している測定報告）を要求することによってアクセスポイントがアクセスポイントのネイバーフッド（たとえば、隣接する（neighboring）／周囲の（surrounding）アクセスポイント）に関する情報を収集することを可能にする無線測定技法を定義する。ビーコン報告を生成するために、局は、隣接する／周囲のアクセスポイントによってワイヤレスに通信されるビーコン／プローブ応答について通信チャネルを監視し、ビーコン報告中の検出された隣接する／周囲のアクセスポイントの各々を識別し得る。この情報収集プロセスは、高トラフィック条件下で、および／または関連付けられた局の数が少ない場合、遅くなり得る。さらに、８０２．１１ｋの下で、局は、それの関連付けられたアクセスポイントからのネイバー報告を要求し得るが、しかしながら、局は、当該局が関連付けられていない隣接する／周囲のアクセスポイントにネイバー報告を要求することはできない。
【発明の概要】
【０００４】
[0004]本開示は、８０２．１１ａｉ準拠アクセスポイントなどの第１のアクセスポイントが、第１のアクセスポイントの隣接アクセスポイントを識別するネイバーリストなどの第１のネイバー報告を生成、維持、または更新することを可能にする技法およびプロトコルを提示する。たとえば、第１のアクセスポイントは、第２のアクセスポイントなどの別のアクセスポイントのネイバー報告中で識別された隣接する／周囲のアクセスポイントに基づいて第１のネイバー報告を生成、維持、または更新し得る。例示すれば、局は第２のアクセスポイントには関連付けられていないが、第１のアクセスポイントは、第１のアクセスポイントに第２のアクセスポイントの第２のネイバー報告をワイヤレスに通信するように、第１のアクセスポイントに関連付けられた移動局などの局に要求し得る。第２のネイバー報告をワイヤレスに通信するように局に要求するために、第１のアクセスポイントは、８０２．１１ｋビーコン報告要求の一部として含まれるネイバークエリ要求などのネイバークエリ要求を局にワイヤレスに通信し得る。
【０００５】
[0005]ネイバークエリ要求に応答して、局は、第１のアクセスポイントに（第２のアクセスポイントの）第２のネイバー報告をワイヤレスに通信し得る。第２のネイバー報告を含む報告メッセージに基づいて、第１のアクセスポイントは、第２のネイバー報告中で識別されたアクセスポイントを識別するために第１のネイバー報告を生成、維持、または更新し得る。したがって、第１のアクセスポイントは、別のアクセスポイントからのネイバー報告に基づいて第１のアクセスポイントのネイバーフッドに関する情報を迅速に収集し得る。ネイバー報告に基づいて情報を収集することは、ビーコンについて通信チャネルを監視することと、検出されたビーコンに基づいて（たとえば、ＩＥＥＥ８０２．１１ｋ規格および／または、Ｗｉ−Ｆｉ  Ａｌｌｉａｎｃｅ（登録商標）規格などの別の規格に従って）ビーコン報告を生成することと、第１のアクセスポイントにビーコン報告をワイヤレスに通信することとを第１のアクセスポイントに関連付けられた局に行わせることによってそのような情報を収集することよりも速いものとなり得る。
【０００６】
[0006]第２のアクセスポイントから第２のネイバー報告を取得するために、局は、第２のアクセスポイントにネイバー報告要求をワイヤレスに通信し得る。ネイバー報告要求に応答して、局は、第２のアクセスポイントから第１の報告メッセージを受信し得、第１のアクセスポイントに第１の報告メッセージを転送し得る。第１の報告メッセージは、第２のアクセスポイントの第２のネイバー報告の少なくとも一部分を含み得る。
【０００７】
[0007]追加または代替として、第２のネイバー報告を取得するために、局は、隣接する／周囲のアクセスポイントからネイバー報告を受信するためにチャネルを走査し得る。そのような走査は、ビーコンをリッスンすることなどによる「パッシブ」なものであるか、またはプローブ要求に応答してプローブ応答を請求することなどによる「アクティブ」なものであり得る。例示すれば、局が、８０２．１１ｋに準拠し、８０２．１１ａｉをサポートする場合、当該局は、隣接８０２．１１ａｉ準拠アクセスポイントのビーコン／プローブ応答メッセージまたは高速初期リンクセットアップ（ＦＩＬＳ）発見フレームに関して走査し得る。隣接アクセスポイントによってワイヤレスに通信されるビーコン／プローブ応答メッセージまたはＦＩＬＳ発見フレームは、隣接アクセスポイントのショートネイバー報告（ＳＮＲ）を含み得る。局は、第１のアクセスポイントに与えられるビーコン報告中に隣接アクセスポイントからのＳＮＲを含め得る。
【０００８】
[0008]したがって、本開示は、アクセスポイントに関連付けられた個別の局にそのような情報収集を任せることによって、アクセスポイントが、それの隣接アクセスポイントに関する情報を迅速に収集することを可能にする。さらに、それの代わりにネイバー報告を取得するように、関連付けられた局に要求することによって、アクセスポイントは、局が他のアクセスポイントを識別するために別のチャネルを介してワイヤレスに通信する間、それの動作チャネルの無中断動作を継続することができる。
【０００９】
[0009]いくつかの実装形態では、局は、第１のアクセスポイントからネイバークエリ要求を受信するよりも前に、隣接する／周囲のアクセスポイントからのネイバー報告をすでに記憶していることがある。したがって、ネイバークエリ要求に応答して、局は、局のメモリから第２のネイバー報告を取り出し得、第２のアクセスポイントにネイバー報告要求をワイヤレスに通信する必要なしに、およびネイバークエリ要求に応答してチャネルを走査する必要なしに、第１のアクセスポイントに第２のネイバー報告をワイヤレスに通信し得る。
【００１０】
[0010]特定の例では、方法は、第１のアクセスポイントに関連付けられた移動局において第１のアクセスポイントからネイバークエリ要求を受信することを含む。本方法は、移動局が第２のアクセスポイントに関連付けられていない間に、移動局から第１のアクセスポイントに第２のアクセスポイントのネイバー報告をワイヤレスに通信することをさらに含む。
【００１１】
[0011]別の特定の例では、装置は、プロセッサと、プロセッサによってアクセス可能なメモリとを含む。メモリは、第１のアクセスポイントに関連付けられた移動局において第１のアクセスポイントからネイバークエリ要求を受信することを行うようにプロセッサによって実行可能な命令を含む。本命令は、移動局が第２のアクセスポイントに関連付けられていない間に、移動局から第１のアクセスポイントにワイヤレスに通信されるべき第２のアクセスポイントのネイバー報告を開始することをプロセッサにさらに行わせる。
【００１２】
[0012]別の特定の例では、装置は、第１のアクセスポイントに関連付けられた局において第１のアクセスポイントからネイバークエリ要求を受信するための手段を含む。本装置は、局が第２のアクセスポイントに関連付けられていない間に、局から第１のアクセスポイントに第２のアクセスポイントのネイバー報告をワイヤレスに通信するための手段をさらに含む。
【００１３】
[0013]開示する態様のうちの少なくとも１つによって与えられる１つの特定の利点は、局が関連付けられていないアクセスポイントからのネイバー報告を要求して受信することを可能にするために、パブリックアクションフレームなどのセキュアでないメッセージが使用され得るということである。追加または代替として、局は、８０２．１１ａｉ準拠隣接アクセスポイントによってワイヤレスに通信されるビーコン、プローブ応答メッセージ、および／またはＦＩＬＳ発見フレームなどのメッセージを求めて通信チャネルを走査することによって、当該局が関連付けられていないアクセスポイントからネイバー報告を受信し得る。したがって、局が、別のアクセスポイントにネイバー報告を要求し、受信する間、局はアクセスポイントに関連付けられたままであり得る。関連付けられたアクセスポイントに関連付けられていないアクセスポイントのネイバー報告を通信することによって、局は、関連付けられたアクセスポイントがそれ自体のネイバー報告を維持することを可能にし得、したがって、関連付けられたアクセスポイントのネイバー報告は、「完全（complete）な」報告となる。本開示の他の態様、利点、および特徴は、「図面の簡単な説明」と、「発明を実施するための形態」と、「特許請求の範囲」とを含めて本出願全体を検討した後に明らかになる。
【図面の簡単な説明】
【００１４】
【図１Ａ】[0014]アクセスポイント開始型ネイバー報告要求を可能にするシステムの第１の例示的な態様を示す図。
【図１Ｂ】アクセスポイント開始型ネイバー報告要求を可能にするシステムの第１の例示的な態様を示す図。
【図２】[0015]アクセスポイント開始型ネイバー報告要求を可能にするシステムの第２の例示的な態様のブロック図。
【図３】[0016]アクセスポイントを動作させる例示的な方法の流れ図。
【図４】[0017]局を動作させる例示的な方法の流れ図。
【図５】[0018]アクセスポイントを動作させる例示的な方法の流れ図。
【図６】[0019]本明細書で開示する１つまたは複数の方法、システム、装置、および／またはコンピュータ可読媒体の様々な態様をサポートするように動作可能であるワイヤレスデバイスの図。
【発明を実施するための形態】
【００１５】
[0020]本開示の特定の態様について、図面を参照しながら説明する。説明では、共通の特徴は、図面全体にわたって共通の参照番号によって指定される。
【００１６】
[0021]図１Ａを参照すると、アクセスポイント開始型ネイバー報告要求を可能にするように動作可能であるシステム１００の第１の態様が示されている。システム１００は、図１ＡではＡＰ＿Ａと称する第１のアクセスポイント（ＡＰ）１１０と、局（ＳＴＡ）１２０（本明細書では代替的にモバイルデバイスとも呼ぶ）図１ＡではＳＴＡ＿Ａと称する）と、第２のアクセスポイント１３０（ＡＰ＿Ｂと称する）とを含む。図１Ａに、２つのアクセスポイント１１０、１３０を示しているが、任意の数のアクセスポイントがシステム１００中に存在し得ることに留意されたい。さらに、図１Ａに、単一の局１２０を示しているが、任意の数の局がシステム１００中に存在し得ることに留意されたい。第１のアクセスポイント１１０と、局１２０と、第２のアクセスポイント１３０との各々は、例示的な非限定的な例として、ＩＥＥＥ８０２．１１規格（たとえば、ＩＥＥＥ８０２．１１ｋ、ＩＥＥＥ８０２．１１ａｉ、またはその両方）および／またはＷｉ−Ｆｉ  Ａｌｌｉａｎｃｅ規格（たとえば、最適接続性エクスペリエンス（ＯＣＥ：optimized connectivity experience）規格、マルチバンド動作（ＭＢＯ：multi-band operation）規格、またはその両方）などの規格に準拠して動作し得る。
【００１７】
[0022]局１２０は、ワイヤレスネットワークを介してデータをワイヤレスに通信および受信するように動作可能である電子デバイスであり得る。たとえば、局１２０は、例示的な非限定的な例として、ワイヤレスフォン、携帯情報端末（ＰＤＡ）、ポータブルコンピューティングデバイス、タブレットコンピューティングデバイス、ポータブルメディアプレーヤ、またはそれらの任意の組合せであり得る。局１２０は、アクセスポイントとのハンドシェイクおよび鍵交換プロセスなどの認証プロセスを実行するように構成され得る。たとえば、局１２０は、第１のアクセスポイント１１０との認証されたセッション（たとえば、関連付けられたセッション）を確立するために、第１のアクセスポイント１１０との認証（authentication）プロセスを実行し得る。認証されたセッションが局１２０と第１のアクセスポイント１１０との間に確立される場合、局１２０は、第１のアクセスポイント１１０に関連付けられている（たとえば、それとの関連状態にある）と見なされ得る。認証されたセッションは、局１２０と第１のアクセスポイント１１０との間のセキュア（たとえば、暗号化）通信を可能にし得る。局１２０が、（局１２０と第１のアクセスポイント１１０との間の実線によって示される）認証されたセッション中に第１のアクセスポイント１１０とワイヤレスに通信する場合、局１２０は、第１のアクセスポイント１１０に関連付けられているとみなされ得る。局１２０が、第１のアクセスポイント１１０と未認証状態を含み得る無関連状態にある場合、局１２０と第１のアクセスポイント１１０とは、例示的な非限定的な例として、プローブ応答メッセージ、パブリックアクションフレーム、ビーコン、および／または非暗号化制御メッセージなどのセキュアでないメッセージを使用して互いにワイヤレスに通信し得る。
【００１８】
[0023]アクセスポイント１１０、１３０の各々は、ワイヤレスネットワークのノードであり得る。たとえば、アクセスポイント１１０、１３０の各々は、それ自体のワイヤレスデータネットワークをサポートするＩＥＥＥ８０２．１１アクセスポイントであり得る。例示すれば、第１のアクセスポイント１１０は、第１のネットワーク１１２をサポートし得、第２のアクセスポイント１３０は、第２のネットワーク１３２をサポートし得る。アクセスポイント１１０、１３０の各々は、ネイバー報告を記憶および／または維持し得る。たとえば、第１のアクセスポイント１１０は、第１のアクセスポイント１１０の隣接アクセスポイントを識別する第１のネイバー報告１１４を記憶し得、第２のアクセスポイント１３０は、第２のアクセスポイント１３０の隣接アクセスポイントを識別する第２のネイバー報告１３４を記憶し得る。
【００１９】
[0024]第１のネイバー報告１１４または第２のネイバー報告１３４などのネイバー報告中に示されるかまたは参照される隣接アクセスポイントごとに、ネイバー報告はまた、例示的な非限定的な例として、隣接アクセスポイントの動作チャネル、隣接アクセスポイントのメディアアクセス制御（ＭＡＣ）アドレス、隣接アクセスポイントの信号強度（たとえば、受信信号強度指示（ＲＳＳＩ））、隣接アクセスポイントに関係する別のパラメータ、またはそれらの組合せを示し得る。たとえば、第１のネイバー報告１１４および／または第２のネイバー報告１３４は、ＩＥＥＥ８０２．１１ａｉ規格に準拠するショートネイバー報告（ＳＮＲ）を含み得る。
【００２０】
[0025]図１Ｂを参照すると、システム１００の動作を示すラダー図が示されており、全体的に１６０と称する。システム１００の動作中、局１２０は、第１のアクセスポイント１１０に関連付けられていることがある。局１２０は、第１の時間１７０において第１のアクセスポイント１１０からネイバークエリ要求１４０を受信し得る。ネイバークエリ要求１４０は、第２のアクセスポイント１３０から受信されたネイバー報告など、別のアクセスポイントからのネイバー報告を与えるように局１２０に効果的に命令する（または行わせる）情報を含み得る。ネイバークエリ要求１４０が受信されるとき、局１２０は、第２のアクセスポイント１３０に関連付けられていないことがある。
【００２１】
[0026]局１２０は、第２の時間１７２において第２のアクセスポイント１３０にネイバー報告要求１４２をワイヤレスに通信し得る。たとえば、局１２０は、ネイバークエリ要求１４０を受信したことに応答して第２のアクセスポイント１３０にネイバー報告要求１４２をワイヤレスに通信し得る。局１２０は、ネイバー報告要求１４２が受信された時点で、第１のアクセスポイント１１０には関連付けられていることがあり、第２のアクセスポイント１３０には関連付けられていないことがある。ネイバー報告要求１４２は、局１２０に第２のアクセスポイント１３０の第２のネイバー報告１３４をワイヤレスに通信するように、第２のアクセスポイント１３０に要求し得る。
【００２２】
[0027]第２のアクセスポイント１３０は、第３の時間１８０において、ネイバー報告要求１４２に応答して局１２０に第１の報告メッセージ１５０をワイヤレスに通信し得る。局１２０が第２のアクセスポイント１３０に関連付けられていない間に、および局１２０が第１のアクセスポイント１１０に関連付けられたままである間に、当該局１２０は、第２のアクセスポイント１３０から第１の報告メッセージ１５０を受信し得る。第１の報告メッセージ１５０は、第２のアクセスポイント１３０の第２のネイバー報告１３４（または第２のネイバー報告１３４からの情報）を含み得る。第１の報告メッセージ１５０は、ＩＥＥＥ８０２．１１規格（たとえば、ＩＥＥＥ８０２．１１ａｉ規格）などの規格に準拠していることがある。たとえば、第１の報告メッセージ１５０は、ＩＥＥＥ８０２．１１ａｉ規格に準拠している第２のネイバー報告１３４のＳＮＲを含み得る。
【００２３】
[0028]第１の報告メッセージ１５０を受信した後に、局１２０は、第４の時間１８２において、第１のアクセスポイント１１０に第２の報告メッセージ１５２をワイヤレスに通信し得る。局１２０が第２のアクセスポイント１３０に関連付けられていない間に、および局１２０が第１のアクセスポイント１１０に関連付けられている間に、当該局１２０は、第１のアクセスポイント１１０に第２の報告メッセージ１５２をワイヤレスに通信し得る。第２の報告メッセージ１５２は、第２のアクセスポイント１３０から受信された第１の報告メッセージ１５０に基づき得、第１の報告メッセージ１５０中に含まれる第２のネイバー報告１３４（または第２のネイバー報告１３４からの情報）を含み得る。たとえば、局１２０は、第１の報告メッセージ１５０を変更することなしに該第１の報告メッセージ１５０を第２の報告メッセージ１５２として第１のアクセスポイント１１０に転送し得る。
【００２４】
[0029]代替的に、局１２０は、第１の報告メッセージ１５０（または第１の報告メッセージ１５０のフォーマット）のコンテンツを改変し得、変更された第１の報告メッセージ１５０を第２の報告メッセージ１５２としてワイヤレスに通信し得る。たとえば、局１２０は、第２の報告メッセージ１５２中に含まれる組み合わされたネイバー報告を生成するために、第１の報告メッセージ１５０中に含まれる第２のネイバー報告１３４を別のアクセスポイントからのネイバー報告と組み合わせ得る。特定の実装形態では、第２の報告メッセージ１５２は、ＩＥＥＥ８０２．１１規格などの規格に準拠している。たとえば、第２のネイバー報告１３４のＳＮＲを含む第１の報告メッセージ１５０は、第２の報告メッセージ１５２として転送され得る。
【００２５】
[0030]第１のアクセスポイント１１０は、１８４に示すように、第１のアクセスポイント１１０の第１のネイバー報告１１４を生成、維持、または更新し得る。たとえば、第１のアクセスポイント１１０は、第２のネイバー報告１３４に基づいて第１のネイバー報告１１４を生成、維持、または更新し得る。例示すれば、ネイバークエリ要求１４０をワイヤレスに通信するより前に、第１のアクセスポイント１１０は、第１のネイバー報告１１４を含まないことがあり、そして、局１２０から第２のネイバー報告１３４を受信した後に、第１のアクセスポイント１１０は、第２のネイバー報告１３４（または第２のネイバー報告１３４からの情報）を含む第１のネイバー報告１１４を生成し得る。別の例として、ネイバークエリ要求１４０をワイヤレスに通信するより前に、第１のアクセスポイント１１０は、第１のネイバー報告１１４の第１のバージョンを含み得、第２のネイバー報告１３４を受信した後に、第１のアクセスポイント１１０は、第１のネイバー報告１１４の第２のバージョンを生成するために第２のネイバー報告１３４に基づいて第１のネイバー報告１１４を更新し得る。たとえば、第１のアクセスポイント１１０は、第１のネイバー報告１１４に、（第２の報告メッセージ１５２を介して局１２０から受信された）第２のネイバー報告１３４中で識別されたアクセスポイントに関係する情報を追加し得る。
【００２６】
[0031]局１２０にネイバークエリ要求１４０をワイヤレスに通信することによって、第１のアクセスポイント１１０は、局１２０に関連付けられていない、第２のアクセスポイント１３０などの別のアクセスポイントからのネイバー報告を第１のアクセスポイント１１０に与えるように、局１２０に要求（または命令）し得る。局１２０が、他のアクセスポイントにネイバー報告を要求し、受信する間に、局１２０は、第１のアクセスポイント１１０に関連付けられたままであり得る。局１２０は、第１のアクセスポイント１１０の第１のネイバー報告１１４を第１のアクセスポイント１１０が生成、維持、または変更することを可能にするために、第１のアクセスポイント１１０に他のアクセスポイントのネイバー報告をワイヤレスに通信し得る。局１２０にネイバー報告の収集を任せることによって、第１のアクセスポイント１１０は、隣接アクセスポイントをアクティブに識別する必要がなくなり、それの動作チャネルの無中断動作を継続し得る。
【００２７】
[0032]図１Ｂは、第１のアクセスポイント１１０と、局１２０と、第２のアクセスポイント１３０との間の通信の一例を示すが、異なる実施形態では、使用されるメッセージの特定のタイプは異なり得る。そのような実装形態の例示的な例について以下で説明する。以下の例の各々は、排他的なものではなく、１つまたは複数の他の例と組み合わされるか、またはそれらと連携して動作し得る。
【００２８】
[0033]いくつかの実装形態では、ネイバークエリ要求１４０は、ネイバー報告を取得することを局１２０に行わせる情報を含み得、局１２０がネイバー報告を取得すべき方法を指定し得る。たとえば、ネイバークエリ要求１４０は、ネイバー報告要求１４２をワイヤレスに通信することを局１２０に行わせ得る。別の例として、ネイバークエリ要求１４０は、明示的ネイバー報告要求をワイヤレスに通信することによってネイバー報告を取得することを局１２０に行わせ得る。例示すれば、ネイバークエリ要求１４０は、本明細書でさらに説明するように、ビーコン、プローブ応答、またはＦＩＬＳ発見フレームの一部として第２のネイバー報告１３４を検出するために通信チャネルを走査することを局１２０に行わせ得る。追加または代替として、ネイバークエリ要求１４０は、局１２０が以前に取得し記憶しているネイバー報告をワイヤレスに通信することを局１２０に行わせ得る。たとえば、ネイバークエリ要求１４０を受信するより前に、局１２０は、局１２０に以前に関連付けられたアクセスポイントから、または局１２０に以前に関連付けられていないアクセスポイントから局１２０が受信したネイバー報告を記憶し得る。例示すれば、局１２０は、ネイバークエリ要求１４０を受信するより前に、局１２０が関連付けられた別のアクセスポイントからネイバー報告を以前に受信し、記憶していることがある。追加または代替として、局１２０は、ネイバークエリ要求１４０を受信するより前に通信チャネルを走査し、他のアクセスポイントからＦＩＬＳ発見フレームを受信することによって、局１２０が関連付けられていない他のアクセスポイントからネイバー報告を以前に受信し、記憶していることがある。
【００２９】
[0034]局１２０が、ネイバークエリ要求１４０に応答してネイバー報告要求１４２をワイヤレスに通信する場合、ネイバー報告要求１４２は、特定のアクセスポイントにワイヤレスに通信される誘導要求（directed request）であり得、またはネイバー報告要求１４２は、ブロードキャスト要求であり得る。いくつかの実装形態では、ネイバー報告要求１４２は、局１２０が第２のアクセスポイント１３０などの関連付けられていないアクセスポイントにワイヤレスに通信する、プローブ応答メッセージまたはパブリックアクションフレームなどのセキュアでないメッセージ中に含まれ得る。
【００３０】
[0035]例示すれば、セキュアでないメッセージは、ベンダー（vendor）固有のパブリックアクションフレームを含み得る。セキュアでないメッセージがベンダー固有のパブリックアクションフレームを含む場合、ベンダー固有のパブリックアクションフレームは、９のカテゴリー値（たとえば、カテゴリータイプフィールド）を有し得る（たとえば、値＝９）。ベンダー固有のパブリックアクションフレームが使用される場合、同じベンダーによって製造された、同じベンダーによって流通された、および／または同じベンダーによって提供されるソフトウェアに従って動作する電子デバイス（たとえば、第１のアクセスポイント１１０、局１２０、第２のアクセスポイント１３０、またはそれらの組合せ）は互いに関連付けられていないときにワイヤレスに通信し得る。例示すれば、セキュアでないメッセージが、第２のアクセスポイント１３０に局１２０によってワイヤレスに通信されるプローブ要求メッセージである場合、プローブ要求メッセージは、第２のアクセスポイント１３０からプローブ応答メッセージを請求し得る。プローブ応答メッセージは、第１の報告メッセージ１５０を含み得る。
【００３１】
[0036]局１２０と第２のアクセスポイント１３０とが異なるベンダーからのものであり、局１２０が、第２のアクセスポイント１３０にベンダー固有のパブリックアクションフレームをワイヤレスに通信する場合、第２のアクセスポイント１３０は、ベンダー固有のパブリックアクションフレームを無視し得るか、あるいは応答メッセージ中にアサートされた（asserted）「不適格（incapable）」フラグまたは「拒否（refused）」フラグを含む応答メッセージでベンダー固有のパブリックアクションフレームに応答し得る。たとえば、第２のアクセスポイント１３０は、第２のアクセスポイント１３０のベンダーとは異なるベンダーからのものであるものとして局１２０を識別し得、ベンダー固有のパブリックアクションフレームを無視し得る。局１２０が特定のチャネル上で応答を受信しない場合、局１２０は、特定のチャネルを介してアクセスポイントが利用可能であるかどうかを知ることができない。しかしながら、局１２０が、特定のチャネルを介してアサートされた「不適格」フラグまたは「拒否」フラグを含む応答メッセージを受信する場合、局１２０は、特定のチャネルを介してアクセスポイントがワイヤレスに通信することができることを少なくとも知る。他の実装形態では、局１２０と第２のアクセスポイント１３０とが異なるベンダーを有する場合、第２のアクセスポイント１３０は、例示的な非限定的な例として、ベンダー固有のアクションフレーム以外のパブリックアクションフレーム、ビーコン、またはプローブ応答メッセージなどのセキュアでないメッセージを介して局１２０に第２のネイバー報告１３４をワイヤレスに通信し得る。局１２０が、セキュアでないメッセージに応答して第２のアクセスポイント１３０から第１の報告メッセージ１５０を受信しない場合、または第１の報告メッセージ１５０が、アサートされた「不適格」フラグまたは「拒否」フラグを含む場合、局１２０は、第１のアクセスポイント１１０に第２の報告メッセージ１５２をワイヤレスに通信しないことがある。たとえば、局１２０が、アサートされた「不適格」フラグまたは「拒否」フラグを含む第１の報告メッセージ１５０を受信する場合、局１２０は、アクセスポイントによって通信されているものとして第１の報告メッセージ１５０を識別し得るが、第１のアクセスポイント１１０に第２の報告メッセージ１５２をワイヤレスに通信するのに十分な、アクセスポイントに関する情報を有していないことがある。
【００３２】
[0037]局１２０が、ネイバークエリ要求１４０に応答して通信チャネルを走査する場合、局１２０は、周囲の８０２．１１ａｉ準拠アクセスポイントからのＳＮＲなど、周囲のアクセスポイントからのネイバー報告を含むビーコン、プローブ応答メッセージ、および／またはＦＩＬＳ発見フレームについて通信チャネルを監視し得る。局１２０は、検出されたＳＮＲを記憶し得る。たとえば、ＳＮＲは、局１２０中に含まれるメモリ（図示せず）に記憶され得る。さらに、局１２０（たとえば、局中に含まれるプロセッサおよび／またはコントローラ）は、メモリから記憶されたＳＮＲを取り出し得、局１２０は、ネイバークエリ要求１４０に応答して第１のアクセスポイント１１０に記憶されたＳＮＲを与え得る。いくつかの実装形態では、局１２０によって走査される通信チャネルは、ネイバークエリ要求１４０中に含まれる情報に基づいて指定され得る。たとえば、ネイバークエリ要求１４０は、特定の通信チャネルを走査するように局１２０に指示する情報を含み得る。例示すれば、局１２０は、第２のアクセスポイント１３０によって使用される通信チャネルを走査し得、第２のネイバー報告１３４を含むＦＩＬＳ発見フレームを受信し得る。他の実装形態では、ネイバークエリ要求１４０は、走査されるべきチャネルを指定する情報を含まないことがあり、局１２０は、ネイバークエリ要求１４０を受信したことに応答して複数のおよび／またはすべてのサポートされた通信チャネルを（たとえば、反復的に）走査し得る。いくつかの実装形態では、局１２０は、第１のアクセスポイント１１０からネイバークエリ要求１４０を受信することなしに通信チャネルを走査するように構成され得る。局１２０が、（たとえば、８０２．１１ａｉ準拠ＳＮＲを求めて）通信チャネルを走査することによって特定のアクセスポイントからネイバー報告を取得する場合、局１２０は、特定のアクセスポイントのネイバー報告を請求するために特定のアクセスポイントにパブリックアクションフレームまたはプローブ要求メッセージなどのセキュアでないメッセージをワイヤレスに通信する局１２０と比較して、ネイバー報告を取得するためにより少ないメッセージングオーバーヘッドを使用することに留意されたい。
【００３３】
[0038]いくつかの実装形態では、第１のアクセスポイントは、第１のアクセスポイント１１０から局１２０にワイヤレスに通信されるビーコン報告要求（たとえば、ビーコン報告要求フレーム）中にネイバークエリ要求１４０を含め得る。たとえば、ネイバークエリ要求１４０は、例示的な非限定的な例として、ビーコン報告要求フレームのベンダー固有のフィールド、ビーコン報告要求フレームの予約済みフィールド、ビーコン報告要求の測定要求フィールド、ビーコン報告要求フレームの別のフィールド、またはそれらの組合せの中に含められ得る。いくつかの実装形態では、ビーコン報告要求フレームは、ＩＥＥＥ８０２．１１ｋ測定要求であり得る。ビーコン報告要求は、本明細書でさらに説明するように、ネイバー報告を取得するために通信チャネルを走査すること、および／またはネイバー報告を与えるように隣接アクセスポイントに要求することを行うために、記憶されたネイバー報告（たとえば、ビーコン、プローブ応答、またはＦＩＬＳ発見フレームを介して受信された８０２．１１ａｉ準拠ＳＮＲに基づくネイバー報告）を与えるように局１２０に求める指示が組み込まれ得る。
【００３４】
[0039]ビーコン報告要求が、ビーコン表にアクセスするように局１２０に指示する情報を含む場合、局１２０は、記憶されたビーコン表に基づいてネイバーアクセスポイントを識別し得る。たとえば、ビーコン表は、局１２０中に含まれるメモリ（図示せず）に記憶され得る。ビーコン表は、局１２０がビーコンメッセージをそこから受信した、関連付けられていないアクセスポイントをそれぞれ識別する、１つまたは複数のエントリを含み得る。したがって、ビーコン表は、局１２０によって収集された履歴データを含み得る。いくつかの実装形態では、局１２０（たとえば、局１２０中に含まれるプロセッサおよび／またはコントローラ）は、ビーコン報告要求がビーコン表にアクセスするように局１２０に指示する情報を含むかどうかにかかわらず、ビーコン報告要求を受信したことに応答してビーコン表にアクセスし、ビーコン表中に含まれるアクセスポイントを識別し得る。
【００３５】
[0040]ビーコン報告要求が、ネイバー報告要求をワイヤレスに通信するように局１２０に指示する情報を含む場合、局１２０は、関連付けられていないアクセスポイントにネイバー報告要求１４２などのネイバー要求をワイヤレスに通信し得る。たとえば、ビーコン報告要求フレームは、隣接アクセスポイントを照会することを局１２０に行わせる（たとえば、ＩＤ値＝２２１を有する）ベンダー固有のオプションのサブ要素フィールドを含み得る。代替または追加として、ビーコン報告要求フレームの予約済みフィールドは、局１２０にネイバークエリ要求１４０を与えるために第１のアクセスポイント１１０によって使用され得る。たとえば、ビーコン報告要求フレームは、オプションのサブ要素フィールドを含む測定要求フィールドを含み得る。オプションのサブ要素フィールドは、ショートネイバー報告（ＳＮＲ）要素識別子（ＩＤ）を含む要求要素でポピュレートされ得る。ＳＮＲ要素ＩＤは、ＩＥＥＥ８０２．１１ａｉに準拠している隣接アクセスポイントなどの隣接アクセスポイントにＳＮＲを要求することを局１２０に行わせるために使用され得る。いくつかの実装形態では、ビーコン報告要求は、ネイバー報告要求１４２をワイヤレスに通信するために局１２０が使用すべきチャネルを示し得る。追加または代替として、ＳＮＲ要素ＩＤは、ＩＥＥＥ８０２．１１ａｉに準拠していないアクセスポイントにネイバー報告要求をワイヤレスに通信することを局１２０に行わせるために使用され得る。
【００３６】
[0041]ビーコン報告要求が、通信チャネルを走査するように局１２０を指示する情報を含む場合、局１２０は、ビーコン報告要求中で識別された通信チャネルに同調し得る。たとえば、ビーコン報告要求フレームは、異なるアクセスポイントからのビーコンメッセージまたはプローブ応答メッセージについて局１２０が監視すべき１つまたは複数のチャネルを指定するデータを（たとえば、ビーコン報告要求フレームのチャネル番号フィールド中に）含み得る。局１２０は、１つまたは複数の指定されたチャネルを識別するためにビーコン報告要求をパースし得、周囲のアクセスポイントからのネイバー報告を含むビーコンメッセージ、プローブ応答メッセージ、および／またはＦＩＬＳ発見フレームについて指定されたチャネルの各々を監視し得る。ビーコン報告要求フレームのチャネル番号フィールドが０の値に設定される場合、局１２０は、すべてのサポートされる通信チャネルに対して測定を（たとえば、反復的に）実行し得る。いくつかの実装形態では、局１２０は、ビーコン報告要求によって示された各チャネルを走査し、さらにネイバー報告要求をワイヤレスに通信し得る。
【００３７】
[0042]一例として、局１２０は、チャネルのグループを走査するように局１２０に要求する第１のアクセスポイント１１０からビーコン報告要求を受信し得る。局１２０は、チャネルのグループを走査し、局１２０がネイバー報告の第１のセットを受信したチャネルの第１のセットと局がいかなるネイバー報告も受信しなかったチャネルの第２のセットとを識別し得る。局１２０は、チャネルの第２のセット中に含まれる特定のチャネルを使用していることがある関連付けられていないアクセスポイントから追加のネイバー報告を取得しようとして、チャネルの第２のセットの各チャネルを介してネイバー報告要求１４２などのネイバー報告要求をワイヤレスに通信し得る。各ネイバー報告要求は、プローブ応答メッセージまたはパブリックアクションフレーム（たとえば、ベンダー固有のパブリックアクションフレーム）などのセキュアでないメッセージ中に含まれ得る。ネイバー報告要求に応答して、局１２０は、チャネルの第２のセットを介してネイバー報告の第２のセットを受信し得る。
【００３８】
[0043]第１のアクセスポイント１１０から受信されたビーコン報告要求に応答して、局１２０は、ビーコン報告を生成し得る。ビーコン報告は、ＩＥＥＥ８０２．１１ｋに準拠しておよび／または別の規格に準拠して生成され得る。ビーコン報告は、ビーコン報告要求に応答して局１２０が受信および／または識別されたことをアクセスポイントおよび／またはネイバー報告に示し得る。たとえば、局１２０は、異なる通信チャネルを監視することによって受動的におよび／または異なる通信チャネル上でネイバー報告要求をアクティブに通信する（たとえば、送出する）ことによってネイバー報告を受信していることがある。別の例として、局１２０は、局１２０に記憶されたビーコン表に基づいてアクセスポイントを識別していることがある。ビーコン報告中で識別されたアクセスポイントごとに、ビーコン報告は、例示的な非限定的な例として、アクセスポイントの動作チャネル、アクセスポイントのメディアアクセス制御（ＭＡＣ）アドレス、局１２０において決定されるアクセスポイントの信号強度（たとえば、受信信号強度指示（ＲＳＳＩ））、アクセスポイントに関する別のパラメータ、またはそれらの組合せを含み得る。
【００３９】
[0044]ビーコン報告再探索フレームがネイバークエリ要求１４０を含む場合、局１２０は、第１のアクセスポイント１１０にビーコン報告とネイバー報告とを与え得る。いくつかの実装形態では、ネイバー報告は、ビーコン報告とは別個にワイヤレスに通信され得る。たとえば、ビーコン報告は、局１２０が第１のアクセスポイント１１０にネイバー報告をワイヤレスに通信する前またはその後に、局１２０から第１のアクセスポイント１１０にワイヤレスに通信され得る。局１２０が、第１のアクセスポイント１１０に複数のネイバー報告をワイヤレスに通信する場合、複数のネイバー報告は、個々におよび／またはグループでワイヤレスに通信され得る。他の実装形態では、ネイバー報告は、ビーコン報告中に含まれ得る。たとえば、ビーコン報告は、第２の報告メッセージ１５２を含み得る。したがって、局１２０は、例示的な非限定的な例として、個々に（たとえば、別個のメッセージ中で）、グループ（たとえば、メッセージ中に含まれる複数のネイバー報告）で、ビーコン報告とは別個に、またはビーコン報告中に含めて、第１のアクセスポイント１１０に複数のネイバー報告をワイヤレスに通信し得る。第１のアクセスポイント１１０にビーコン報告および／またはネイバー報告を与えることによって、局１２０は、ビーコン報告のみまたは個別のネイバー報告のみによって識別された隣接アクセスポイントの数と比較してより多数の隣接アクセスポイントを第１のアクセスポイント１１０に通知し得る。
【００４０】
[0045]第１のアクセスポイント１１０は、局１２０からネイバー報告および／またはビーコン報告を受信し得る。ビーコン報告は、隣接アクセスポイントの第１のセットを識別し得、第２のネイバー報告１３４は、隣接アクセスポイントの第２のセットを識別し得る。いくつかの実装形態では、アクセスポイントは、隣接アクセスポイントの第１のセットと隣接アクセスポイントの第２のセットとの両方の中に含まれ得る。第１のアクセスポイント１１０は、隣接アクセスポイントの第１のセット、アクセスポイントの第２のセット、またはその両方の中にあるアクセスポイントを識別または参照することによって、第１のネイバー報告１１４を生成、維持、および／または更新し得る。たとえば、第１のアクセスポイント１１０は、受信されたビーコン報告および／または受信されたネイバー報告に基づいて、第１のネイバー報告１１４を生成し得、第１のネイバー報告１１４にアクセスポイントを追加し得、第１のネイバー報告１１４からアクセスポイントを除去し得、または第１のネイバー報告１１４を無変化（unchanged）のままとし得る。
【００４１】
[0046]特定の実装形態では、局１２０は、８０２．１１ｋに準拠している要求など、第１のネイバー報告１１４を与えるように第１のアクセスポイント１１０に要求するために第１のアクセスポイント１１０に要求をワイヤレスに通信し得る。たとえば、局１２０は、第１のアクセスポイント１１０からネイバークエリ要求１４０を受信するより前または後に要求をワイヤレスに通信し得る。要求に基づいて、第１のアクセスポイント１１０は、局１２０に第１のネイバー報告１１４（の、たとえば、直前に更新されたバージョン）をワイヤレスに通信し得る。局１２０は、第１のアクセスポイント１１０から受信されたネイバー報告を記憶し得る。たとえば、第１のアクセスポイント１１０は、第１のアクセスポイント１１０のチャネル（たとえば、動作可能なチャネル）および第１のアクセスポイント１１０のためのターゲットビーコン送信時間（ＴＢＴＴ）を識別する情報を含むショートネイバー報告（ＳＮＲ）として局１２０に第１のネイバー報告１１４をワイヤレスに通信し得る。ＴＢＴＴは、ＳＮＲが局１２０にワイヤレスに通信された（たとえば、送信された）時間からのオフセットとして表され得る。第１のネイバー報告１１４は、第１のアクセスポイント１１０に隣接する（たとえば、それの周囲の）１つまたは複数のアクセスポイントを識別または参照し得る。第１のネイバー報告１１４は、局１２０が、関連するために利用可能なアクセスポイントを迅速に選択することを可能にし得、局１２０の一部に対する走査時間および／またはプローブオーバーヘッドを低減し得る。
【００４２】
[0047]システム１００の動作について、第１のアクセスポイント１１０、局１２０、または第２のアクセスポイント１３０を参照しながら説明したが、第１のアクセスポイント１１０、局１２０、および第２のアクセスポイント１３０がそれぞれ別のデバイスを参照しながら説明した動作を実行するように構成され得ることに留意されたい。たとえば、第１のアクセスポイント１１０は、関連付けられていない局（たとえば、第２のアクセスポイント１３０と関連状態にある局）からネイバー報告要求を受信し、関連付けられていない局に第１のネイバー報告１１４の少なくとも一部分を与えるように構成され得る。
【００４３】
[0048]隣接アクセスポイントにネイバー報告を直接要求することを局１２０に行わせることによって、第１のアクセスポイント１１０は、局１２０が、通信チャネルを監視し、（ＩＥＥＥ８０２．１１ｋ規格に従っておよび／または別の規格に従って）ビーコン報告を生成することによってネイバー報告を収集する場合よりも迅速に隣接アクセスポイントを識別し得る。たとえば、局１２０が他のアクセスポイントに関連付けられていないことがあるが、第１のアクセスポイント１１０は、他の（周囲の）アクセスポイントから局１２０によって取得されたネイバー報告をワイヤレスに通信することを局１２０に要求する（または行わせる）ことができる。局１２０が、（たとえば、第１のアクセスポイント１１０から遠隔にある物理的ロケーションに位置する）第１のアクセスポイント１１０のカバレージ範囲内のどこかに位置し得るので、局１２０は、第１のアクセスポイント１１０の範囲内のまたは第１のアクセスポイント１１０に可視でない別のアクセスポイントのカバレージ範囲内にあり得る。さらに、第１のアクセスポイント１１０が、特定の動作チャネル（たとえば、通信チャネル）を使用して別の関連する局をサービスするのに忙しいことがあるので、第１のアクセスポイント１１０は、他のアクセスポイントからのネイバー報告に関して走査するか、または他のアクセスポイントにネイバー報告を要求するために特定の動作チャネルをオフにすることができないことがある。したがって、関連する局１２０に、第１のアクセスポイント１１０のためにネイバー報告を取得することを要求することによって、局１２０が、周囲のアクセスポイントについて別のチャネルを監視する間に、第１のアクセスポイント１１０は、それの動作チャネル上で無中断動作を継続することができる。
【００４４】
[0049]さらに、隣接アクセスポイントからのネイバー報告に加えてビーコン報告が利用される場合、第１のアクセスポイント１１０は、ネイバー報告によって識別された隣接アクセスポイントを確認するためにビーコン報告を使用することができ、確認された隣接アクセスポイントを含むために第１のネイバー報告１１４を更新することができる。第１のネイバー報告１１４を維持することによって、第１のアクセスポイント１１０は、第１のネイバー報告１１４に基づいて、第１のアクセスポイント１１０に関連付けられていない局にショートネイバー報告（ＳＮＲ）を与えることが可能であり得る。ショートネイバー報告（ＳＮＲ）は、局が、隣接アクセスポイントを迅速に発見／識別することを可能にし、それによって、局の一部に対する走査時間および／またはプローブオーバーヘッドを低減し得る。
【００４５】
[0050]セキュアでないメッセージを利用することによって、８０２．１１ａｉに準拠しているメッセージ（たとえば、ビーコン、プローブ応答メッセージ、またはＦＩＬＳ発見フレーム）を求めて通信チャネルを走査することによって、および／またはネイバー報告を記憶することによって、局１２０が、第１のアクセスポイント１１０に関連付けられたままである間に、局１２０は、局１２０が関連付けられていないアクセスポイントからのネイバー報告を第１のアクセスポイント１１０に与え得る。局１２０を介して別のアクセスポイントのネイバー報告を受信することによって、第１のアクセスポイント１１０（たとえば、８０２．１１ａｉ準拠アクセスポイント）は、それのネイバーフッドについての「完全な（complete）」理解を取得し得、したがって、それ自体のＳＮＲは、「完全な（complete）」報告であり得る。
【００４６】
[0051]図２を参照すると、アクセスポイント開始型ネイバー報告要求を可能にするように動作可能であるシステム２００の第２の態様が示されている。システム２００は、第１のアクセスポイント１１０と、局１２０、第２のアクセスポイント１３０と、（ＡＰ＿Ｃと称する）第３のアクセスポイント２６０と、（ＡＰ＿Ｄと称する）第４のアクセスポイント２７０と、（ＡＰ＿Ｅと称する）第５のアクセスポイント２８０と、（ＡＰ＿Ｆと称する）第６のアクセスポイント２９０とを含む。図２に、６つのアクセスポイント１１０、１３０、２６０、２７０、２８０、２９０を示しているが、任意の数のアクセスポイントがシステム２００中に存在し得ることに留意されたい。さらに、図２に、単一の局１２０を示しているが、任意の数の局がシステム２００中に存在し得ることに留意されたい。アクセスポイント１１０、１３０、２６０、２７０、２８０、２９０および局１２０の各々は、ＩＥＥＥ８０２．１１規格および／またはＷｉ−Ｆｉ  Ａｌｌｉａｎｃｅ規格などの規格に準拠して動作し得る。
【００４７】
[0052]アクセスポイント１１０、１３０、２６０、２７０、２８０、２９０の各々は、それ自体のワイヤレスネットワークをサポートするＩＥＥＥ８０２．１１アクセスポイントなどのワイヤレスネットワークのノードであり得る。たとえば、第１のアクセスポイント１１０は、第１のネットワーク１１２をサポートし得、第２のアクセスポイント１３０は、第２のネットワーク１３２をサポートし得、第３のアクセスポイント２６０は、第３のネットワーク２６２をサポートし得、第４のアクセスポイント２７０は、第４のネットワーク２７２をサポートし得、第５のアクセスポイント２８０は、第５のネットワーク２８２をサポートし得、第６のアクセスポイント２９０は、第６のネットワーク２９２をサポートし得る。アクセスポイント１１０、１３０、２６０、２７０、２８０、２９０の各々は、それ自体のネイバー報告を含み得る（たとえば、記憶し得る）。図１Ａの第１のネイバー報告１１４に関して説明したように、各アクセスポイントのネイバー報告は、隣接アクセスポイントを識別し得、ビーコン報告、別のネイバー報告、またはそれらの組合せに基づいて生成（たとえば、ポピュレート）され得る。
【００４８】
[0053]図１と同様に、図２では、局１２０は、局１２０と第１のアクセスポイント１１０との間の実線によって示されるように、第１のアクセスポイント１１０に関連付けられている。局１２０はまた、第２のアクセスポイント１３０のカバレージエリア中にあり、第２のアクセスポイント１３０とは関連付けられていない状態（たとえば、関連づけられる前の状態（pre-associated state））にあり得る。局１２０が、第２のアクセスポイント１３０に関連付けられていない場合、局１２０と第２のアクセスポイント１３０とは、（局１２０と第２のアクセスポイント１３０との間の破線で示すように）セキュアでないメッセージを使用してワイヤレスに通信し得る。局１２０は、第３のアクセスポイント２６０、第４のアクセスポイント２７０、第５のアクセスポイント２８０、および第６のアクセスポイント２９０の各々のカバレージエリアの外側にあり、それらの各々には関連付けられていないことがある。
【００４９】
[0054]動作中、局１２０は、第１のアクセスポイント１１０からネイバークエリ要求１４０を受信し得る。ネイバークエリ要求１４０に基づいて、局１２０は、第１のアクセスポイント１１０にネイバー報告をワイヤレスに通信し得る。たとえば、局１２０は、報告メッセージ１５２の一部として第１のアクセスポイント１１０にネイバー報告をワイヤレスに通信し得る。いくつかの実装形態では、局１２０はまた、第１のアクセスポイント１１０に報告メッセージ１５２中に含まれるビーコン報告を与え得る。たとえば、局１２０は、第１のアクセスポイント１１０から受信されたビーコン報告要求に応答してビーコン報告を与え得る。
【００５０】
[0055]特定の実装形態では、ネイバークエリ要求１４０に応答して、局１２０は、第２のアクセスポイント１３０にネイバー報告要求１４２をワイヤレスに通信し得る。ネイバー報告要求１４２をワイヤレスに通信した後に、局１２０は、第２のアクセスポイント１３０から、ネイバー報告要求１４２に応答する第１の報告メッセージ１５０を受信し得る。局１２０は、第１のアクセスポイント１１０に（第１の報告メッセージ１５０に基づく）第２の報告メッセージ１５２をワイヤレスに通信し得る。たとえば、局１２０は、第２の報告メッセージ１５２として第１のアクセスポイント１１０に第１の報告メッセージ１５０を転送し得る。代替的に、局１２０は、第１の報告メッセージ１５０中で受信されたデータを変更（たとえば、再フォーマット）し、次いで、第２の報告メッセージ１５２中で第１のアクセスポイント１１０に変更されたデータをワイヤレスに通信し得る。
【００５１】
[0056]第２のアクセスポイント１３０は、第２のネイバー報告１３４を含み得る（たとえば、記憶し得る）。第２のネイバー報告１３４は、第５のアクセスポイント２８０などの他のアクセスポイントからのネイバー報告に基づいて生成され得、アクセスポイント１１０、２６０、２７０、２８０、および２９０のうちの１つまたは複数を識別または参照し得る。第２のアクセスポイント１３０の観点から、アクセスポイント１１０、２６０、２７０、および２８０の各々は１ホップ離れており、第６のアクセスポイント２９０は、２ホップ離れている。追加または代替として、第２のネイバー報告１３４は、第２のアクセスポイント１３０に関連付けられている特定の局から受信されたビーコン報告に基づき得る。第２のネイバー報告１３４はまた、第２のアクセスポイント１３０を識別または参照し得、あるいは第２のアクセスポイント１３０は、メタデータまたは第２のネイバー報告１３４（または第１の報告メッセージ１５０）のヘッダに基づくなどして第２のネイバー報告１３４のソース（または第１の報告メッセージ１５０のソース）として識別可能であり得る。
【００５２】
[0057]したがって、第２のネイバー報告１３４が、１ホップ離れたアクセスポイント（たとえば、アクセスポイント１１０、２６０、２７０、および２８０）および複数ホップ離れたアクセスポイント（たとえば、第６のアクセスポイント２９０）を識別するので、第２のアクセスポイント１３０から局１２０に与えられる第１の報告メッセージ１５０はまた、これらのアクセスポイントの各々を識別し得る。したがって、第１の報告メッセージ１５０に基づいて生成された第２の報告メッセージ１５２に基づいて、第１のアクセスポイント１１０は、第１のアクセスポイント１１０から複数ホップ離れた第６のアクセスポイント２９０などのアクセスポイントを識別するネイバー情報を受信し得る。第１のアクセスポイント１１０は、第２の報告メッセージ１５２中で識別されたアクセスポイントに基づいて第１のネイバー報告１１４を生成、維持、または更新し得る。たとえば、第１のアクセスポイント１１０は、１ホップ離れたアクセスポイント（たとえば、アクセスポイント１３０、２６０、および２７０）と、２ホップ離れたアクセスポイント（たとえば、第５のアクセスポイント２８０）と、３ホップ離れたアクセスポイント（たとえば、第６のアクセスポイント２９０）とを識別することを含む、図１Ａの第１のネイバー報告１１４を生成し得る。したがって、この例では、第１のネイバー報告１１４は、ネットワーク全体にわたるアクセスポイントトポグラフィを与え得る。
【００５３】
[0058]別の特定の実装形態では、ネイバークエリ要求１４０に応答して、第２のアクセスポイント１３０は、第２のアクセスポイント１３０に関連付けられた局によって生成された１つまたは複数のビーコン報告に基づいて識別された隣接アクセスポイントを識別する累積ビーコン報告で応答し得る。たとえば、第２のネイバー報告１３４は、第２のアクセスポイント１３０によって受信されたビーコン報告とネイバー報告とによって識別された隣接アクセスポイントを識別し得る。累積ビーコン報告は、第２のアクセスポイント１３０によって受信されたビーコン報告中で識別されなかったアクセスポイントを第２のネイバー報告１３４から除去することによって生成され得る。例示すれば、累積ビーコン報告は、第２のネイバー報告１３４の低減バージョン（reduced version）であり得る。別の例として、累積ビーコン報告は、第２のネイバー報告１３４とは別個のものであり得、第２のアクセスポイント１３０によって受信されたビーコン報告に基づいて第２のアクセスポイント１３０によって生成され得る。累積ビーコン報告は、第１の報告メッセージ１５０の一部として局１２０に与えられ得る。図２の例では、累積ビーコン報告は、第１のアクセスポイント１１０と、第３のアクセスポイント２６０と、第４のアクセスポイント２７０と、第５のアクセスポイント２８０とを識別または参照し得る。第２のアクセスポイント１３０が第６のアクセスポイント２９０のカバレージ範囲の外側にあり、したがって、第６のアクセスポイント２９０からのビーコンを検出することができないので、累積ビーコン報告が、第２のアクセスポイント１３０から複数ホップ離れた第６のアクセスポイント２９０を含まないことがあることに注意されたい。累積ビーコン報告はまた、第２のアクセスポイント１３０を識別または参照し得、第２のアクセスポイント１３０は、累積ビーコン報告のソースとして識別可能であり得る。
【００５４】
[0059]第２のアクセスポイント１３０が、ネイバー報告を要求する局１２０からネイバー報告要求１４２などのセキュアでないメッセージを受信する場合、第２のアクセスポイント１３０は、局１２０に累積ビーコン報告を含む第１の報告メッセージ１５０をワイヤレスに通信し得る。局１２０は、第１の報告メッセージ１５０に基づいて第２の報告メッセージ１５２を生成し得、第１のアクセスポイント１１０に第２の報告メッセージ１５２をワイヤレスに通信し得る。第２の報告メッセージ１５２に基づいて、第１のアクセスポイント１１０は、図１Ａの第１のネイバー報告１１４を生成、維持、または更新し得る。したがって、累積ビーコン報告に基づいて、第１のネイバー報告１１４は、第１のアクセスポイント１１０から複数ホップ離れた比較的少数のアクセスポイントを識別し得る。たとえば、第２のアクセスポイント１３０が、第２のネイバー報告１３４の代わりに累積ビーコン報告を局１２０に与える場合、第１のネイバー報告１１４は、第６のアクセスポイント２９０を識別しないことがある。
【００５５】
[0060]累積ビーコン報告を与えることによって、第２のアクセスポイント１３０は、報告メッセージ１５０、１５２を介して第１のアクセスポイント１１０に与えられる識別された隣接アクセスポイントの数を制限し得る。第２のアクセスポイント１３０は、ビーコン報告に基づいて第２のアクセスポイント１３０によって識別されたアクセスポイントを識別し、第２のアクセスポイントに関連付けられた局を介して受信されたネイバー報告のみに基づいて識別されたアクセスポイントを除外するために、第１の報告メッセージ１５０を生成し得る。したがって、第１のアクセスポイント１１０が、累積ビーコン報告中で識別されたアクセスポイントに基づいて図１Ａの第１のネイバー報告１１４を生成、維持、または更新する場合、第１のネイバー報告１１４は、第１のアクセスポイント１１０から複数ホップ離れた比較的少数の隣接アクセスポイントを含み得る。いくつかの実装形態では、第１のアクセスポイント１１０は、第１のアクセスポイント１１０によって受信されたビーコン報告に基づいて第１のネイバー報告１１４中に含まれたアクセスポイントを識別することによって累積ビーコン報告を生成するように構成され得る。第１のネイバー報告１１４（または第１のアクセスポイント１１０によって生成された累積ビーコン報告）は、認証するのに利用可能および／または好適なアクセスポイントを迅速に識別するために関連付けられていない局が使用するためのＳＮＲを生成するために使用され得る。したがって、第６のアクセスポイント２９０が第１のアクセスポイント１１０に識別されない（たとえば、第１のネイバー報告１１４に含まれない）ように第２のアクセスポイント１３０におけるネイバーアクセスポイント情報を制限（たとえば、低減）することは、関連付けのために適切なアクセスポイントを識別するために第１のアクセスポイント１１０からのＳＮＲを使用する局１２０の能力を低減しないことがある。識別される隣接アクセスポイントの数を制限することは、低データレートネットワークにおいて、ならびにネイバー報告と報告メッセージとを短く保つことが有用である他のシナリオおよび／またはネットワーク全体にわたるアクセスポイントトポグラフィが必要とされない他のシナリオにおいて望ましいものであり得る。
【００５６】
[0061]システム２００の動作について、第１のアクセスポイント１１０、局１２０、第２のアクセスポイント１３０、第３のアクセスポイント２６０、第４のアクセスポイント２７０、第５のアクセスポイント２８０、および第６のアクセスポイント２９０を参照しながら説明したが、第１のアクセスポイント１１０、局１２０、第２のアクセスポイント１３０、第３のアクセスポイント２６０、第４のアクセスポイント２７０、第５のアクセスポイント２８０、または第６のアクセスポイント２９０の各々が、別のデバイス（たとえば、第１のアクセスポイント１１０、局１２０、第２のアクセスポイント１３０、第３のアクセスポイント２６０、第４のアクセスポイント２７０、第５のアクセスポイント２８０、または第６のアクセスポイント２９０）を参照しながら説明した動作を実行するように構成され得ることに留意されたい。たとえば、第１のアクセスポイント１１０は、第２のアクセスポイント１３０に関連付けられた局（図示せず）など、関連付けられていない局から受信されたネイバー報告要求に応答して、第１のアクセスポイント１１０によって生成された累積ビーコン報告を提供するように構成され得る。
【００５７】
[0062]図３を参照し、３００として示された、アクセスポイントを動作させる例示的な方法について説明する。方法３００は、図１Ａおよび図２のアクセスポイント１１０、１３０のうちの１つまたは図２のアクセスポイント２６０、２７０、２８０、２９０のうちの１つを使用して実行され得る。
【００５８】
[0063]方法３００は、３０２において、局が第１のアクセスポイントには関連付けられ、第２のアクセスポイントには関連付けられていない間に、第１のアクセスポイントから局にネイバークエリ要求をワイヤレスに通信することを含む。ネイバークエリ要求は、第２のネイバー報告を取得するために第２のアクセスポイントに照会することを局に行わせるように構成される。第１のアクセスポイントは、例示的な非限定的な例として、ネイバークエリ要求を１時間に一度、１日に一度、または１週間に一度など周期的に発行し得る。第１のアクセスポイントは、図１Ａの第１のネイバー報告１１４をサポートする第１のアクセスポイント１１０を含み得る。局と第２のアクセスポイントとは、それぞれ、図１Ａおよび図２の局１２０と第２のアクセスポイント１３０とを含み得る。ネイバークエリ要求は、図１Ａおよび図２のネイバークエリ要求１４０を含み得る。特定の実装形態では、第１のアクセスポイント、第２のアクセスポイント、および／または局は、同じベンダー（たとえば、同じサービスプロバイダ）を有する。
【００５９】
[0064]方法３００は、３０４において、局から第２のネイバー報告を受信することをさらに含み得る。第２のネイバー報告は、ＩＥＥＥ規格（たとえば、ＩＥＥＥ８０２．１１ａｉ規格）などの規格に準拠していることがある。たとえば、第２のネイバー報告は、ショートネイバー報告情報要素を含み得る。第２のネイバー報告は、第２のネイバー報告１３４を含み得、ならびに／または図１Ａおよび図２の報告メッセージ１５０、１５２中に含まれ得る。
【００６０】
[0065]いくつかの実装形態では、方法３００は、ビーコン報告要求フレームを生成することと、第１のアクセスポイントから局にビーコン報告要求フレームをワイヤレスに通信することとをさらに含み得る。たとえば、ビーコン報告要求フレームは、電気電子技術者協会（ＩＥＥＥ）８０２．１１ｋ規格に準拠していることがあり得、および／またはＷｉ−Ｆｉ  Ａｌｌｉａｎｃｅ規格などの別の規格に準拠していることがあり得る。ビーコン報告要求フレームは、ネイバークエリ要求を含み得る。たとえば、ネイバークエリ要求は、ベンダー指定のフィールドまたはビーコン報告要求フレームの予約済みフィールド中に含まれ得る。別の例として、ネイバークエリ要求フレームは、ショートネイバー報告（ＳＮＲ）要素識別子（ＩＤ）などの要求要素でポピュレートされる要求フィールド（たとえば、測定要求フィールド）を含み得る。たとえば、ネイバークエリ要求が、ショートネイバー報告（ＳＮＲ）要素識別子（ＩＤ）によって示され得、ここで、ＳＮＲ要素ＩＤは、ビーコン要求フレームの測定フィールド中に含まれる。さらに、第１のアクセスポイントは、局によって検出されたアクセスポイントを示す情報を含むビーコン報告を局から受信し得る。第１のアクセスポイントは、第２のネイバー報告中で識別された隣接アクセスポイント、ビーコン報告中で識別された隣接アクセスポイント、またはそれらの組合せに基づいて第１のネイバー報告を生成し得る。たとえば、第１のネイバー報告は、電気電子技術者協会（ＩＥＥＥ）８０２．１１規格、Ｗｉ−Ｆｉ  Ａｌｌｉａｎｃｅ規格、またはその両方に準拠しているショートネイバー報告（ＳＮＲ）を含み得る。
【００６１】
[0066]方法３００により、第１のアクセスポイントは、第１のアクセスポイントにネイバー報告を提供することを局に行わせることが可能になり得る。たとえば、局にネイバークエリ要求をワイヤレスに通信したことに応答して、第１のアクセスポイントは、局を介して第２のアクセスポイントから第２のネイバー報告を受信し得る。第２のネイバー報告によって識別されたアクセスポイントに基づいて、第１のアクセスポイントは、第１のアクセスポイントのネイバーアクセスポイントを示すために第１のネイバー報告を生成、維持、および／または更新することができる。
【００６２】
[0067]図４を参照し、４００として示された、局を動作させる例示的な方法について説明する。方法４００は、図１Ａおよび図２の局１２０を使用して実行され得る。
【００６３】
[0068]方法４００は、４０２において、第１のアクセスポイントに関連付けられた局において第１のアクセスポイントからネイバークエリ要求を受信することを含む。第１のアクセスポイントは、図１Ａの第１のネイバー報告１１４などの第１のネイバー報告を含み得る。ネイバークエリ要求は、第１のアクセスポイントから局において受信されるビーコン報告要求フレーム中に含まれ得る。たとえば、局と第１のアクセスポイントとは、それぞれ、図１Ａおよび図２の局１２０と第１のアクセスポイント１１０とを含み得る。ネイバークエリ要求は、図１Ａおよび図２のネイバークエリ要求１４０を含み得る。ネイバークエリ要求は、第２のアクセスポイントにネイバー報告要求をワイヤレスに通信することを局に行わせるために第１の情報を含み得る。
【００６４】
[0069]ネイバークエリ要求がビーコン報告要求フレーム中に含まれる場合、方法４００は、第１のアクセスポイントからビーコン報告要求フレームを受信することを含み得る。方法４００はまた、ビーコン報告要求フレーム中に含まれるショートネイバー報告（ＳＮＲ）要素識別子（ＩＤ）を検出することを含み得る。ネイバークエリ要求は、ＳＮＲ要素ＩＤによって示され得る。たとえば、ＳＮＲ要素ＩＤは、ビーコン報告要求フレームの測定フィールド中に含まれ得る。
【００６５】
[0070]方法４００は、４０４において、局が第２のアクセスポイントに関連付けられていない間に、局から第１のアクセスポイントに第２のアクセスポイントのネイバー報告をワイヤレスに通信することをさらに含む。局が、第２のアクセスポイントに関連付けられていない場合、局は、第２のアクセスポイントに関して未認証状態にあり得る。ネイバー報告は、図１Ａの第２のネイバー報告１３４を含み得る。ネイバー報告は、局から第１のアクセスポイントにワイヤレスに通信される、図１Ａの第２の報告メッセージ１５２などの報告メッセージ中に含まれ得る。すなわち、方法４００により、第２のアクセスポイントに関連付けられていない局は、第２のアクセスポイントのネイバー報告を要求することが可能になり得る。
【００６６】
[0071]いくつかの実装形態では、局は、第１のアクセスポイントからネイバークエリ要求を受信するより前にメモリ中に（第２のアクセスポイントの）ネイバー報告を記憶し得る。ネイバークエリ要求に応答して、方法４００は、メモリから記憶されたネイバー報告を取り出すことを含み得る。たとえば、局のプロセッサまたはコントローラは、メモリにアクセスすることと、記憶されたネイバー報告のコピーを生成することとを行うように構成され得る。局は、第１のアクセスポイントに記憶されたネイバー報告のコピーを送り得る。
【００６７】
[0072]他の実装形態では、第１のアクセスポイントにネイバー報告をワイヤレスに通信するより前に、局は、第２のアクセスポイントに、図１Ａおよび図２のネイバー報告要求１４２などのネイバー報告要求をワイヤレスに通信し得る。ネイバー報告要求は、局に第２のネイバー報告をワイヤレスに通信することを第２のアクセスポイントに行わせる第２の情報を含み得る。たとえば、第２のアクセスポイントは、図１Ａおよび図２の第２のアクセスポイント１３０を含み得る。いくつかの実装形態では、局は、ネイバー報告要求を含むパブリックアクションフレームなどのセキュアでないメッセージを生成し得る。たとえば、パブリックアクションフレームは、ベンダー固有のパブリックアクションフレームであり得る。
【００６８】
[0073]特定の実装形態では、方法４００は、第２のアクセスポイントから第２のネイバー報告を受信することをさらに含み得る。たとえば、局は、第２のアクセスポイントからネイバー報告を取得するために通信チャネルを走査し得る。局は、通信チャネルを使用して第２のアクセスポイントによってワイヤレスに通信されるビーコンメッセージ、プローブ応答メッセージ、または高速初期リンクセットアップ（ＦＩＬＳ）発見フレームのうちの少なくとも１つ中に含まれる第２のネイバー報告を受信し得る。
【００６９】
[0074]別の特定の実装形態では、局は、第１のアクセスポイントからビーコン報告要求フレームを受信し得る。ネイバークエリ要求を示すショートネイバー報告（ＳＮＲ）要素識別子（ＩＤ）は、ビーコン報告要求フレーム中に含まれ得、局によって検出され得る。たとえば、ＳＮＲ要素ＩＤは、ビーコン要求フレームの測定フィールド中に含まれ得る。ビーコン報告要求フレームに応答して、局は、ビーコン報告を生成し、第１のアクセスポイントにビーコン報告をワイヤレスに通信し得る。ビーコン報告は、第２のネイバー報告とは別個のものであるか、または第２のネイバー報告を含み得る。追加または代替として、局は、局に第１のネイバー報告をワイヤレスに通信するように第１のアクセスポイントに要求し得る。
【００７０】
[0075]別の特定の実装形態では、第１のアクセスポイントと、第２のアクセスポイントと、局とは、同じベンダーを有する。代替的に、第２のアクセスポイントと局とは、異なるベンダーからのものであり得る。第２のアクセスポイントと局とが異なるベンダーからのものである場合、局は、ネイバー報告要求に応答して第２のアクセスポイントから要求された第２のネイバー報告を受信しないことがある。代わりに、局は、第２のアクセスポイントからアサートされた不適格フラグまたはアサートされた拒否フラグを含むメッセージを受信し得る。
【００７１】
[0076]図５を参照しながら、５００として示された、アクセスポイントを動作させる別の例示的な方法について説明する。方法５００は、図１Ａおよび図２のアクセスポイント１１０、１３０のうちの１つまたは図２のアクセスポイント２６０、２７０、２８０、２９０のうちの１つを使用して実行され得る。
【００７２】
[0077]方法５００は、５０２において、アクセスポイントに関連付けられていない局からアクセスポイントにおいてネイバー報告要求を受信することを含む。ネイバー報告要求は、第１のパブリックアクションフレームなどの第１のセキュアでないメッセージ中に含まれ得る。たとえば、局とアクセスポイントとは、それぞれ、図１Ａおよび図２の局１２０と第２のアクセスポイント１３０とを含み得る。ネイバー報告要求は、図１Ａおよび図２のネイバー報告要求１４２を含み得る。別の例として、ネイバー報告要求は、ビーコン要求フレーム中に含まれ得る。例示すれば、ネイバー報告要求は、ビーコン報告要求フレームの測定フィールドなどのフィールドに含まれていたショートネイバー報告（ＳＮＲ）要素識別子（ＩＤ）によって示され得る。局は、ビーコン要求フレーム中に含まれるＳＮＲ要素ＩＤを検出するように構成され得る。
【００７３】
[0078]方法５００は、５０４において、ネイバー報告要求に応答してアクセスポイントから局にアクセスポイントのネイバー報告をワイヤレスに通信することをさらに含む。局がアクセスポイントに関連付けられていないとき、ネイバー報告は、ショートネイバー報告（ＳＮＲ）情報要素（ＩＥ）を含み得、局にワイヤレスに通信され得る。アクセスポイントのネイバー報告は、電気電子技術者協会（ＩＥＥＥ）８０２．１１規格またはＷｉ−Ｆｉ  Ａｌｌｉａｎｃｅ規格などの規格に準拠したものであり得る。局にワイヤレスに通信されるネイバー報告は、第２のパブリックアクションフレームなどの第２のセキュアでないメッセージ中に含まれ得る。第２のセキュアでないメッセージは、ベンダー固有のパブリックアクションフレームであり得る。代替的に、ネイバー報告は、アクセスポイントからのビーコンメッセージまたはプローブ応答メッセージ中で局にワイヤレスに通信され得る。ネイバー報告は、図１Ａおよび図２の報告メッセージ１５０中に含まれ得る。方法５００により、アクセスポイントは、関連付けられていない局にネイバー報告を提供することが可能になり得る。
【００７４】
[0079]図６を参照すると、特定の例示的なワイヤレス通信デバイスのブロック図が示されており、全体的に６００と称する。デバイス６００は、メモリ６３２に結合されたデジタル信号プロセッサなどのプロセッサ６１０を含む。例示的な例では、デバイス６００またはそれの構成要素は、図１Ａおよび図２のアクセスポイント１１０、１３０、局１２０、図２のアクセスポイント２６０、２７０、２８０、２９０、またはそれらの構成要素を含むか、またはそれらの中に含まれ得る。
【００７５】
[0080]プロセッサ６１０は、非一時的コンピュータ可読媒体などのメモリ６３２中に記憶されたソフトウェア（たとえば、命令のプログラム６６８）を実行するように構成され得る。追加または代替として、プロセッサ６１０は、ワイヤレスインターフェース６４０（たとえば、ＩＥＥＥ８０２．１１ワイヤレスインターフェースおよび／またはＷｉ−Ｆｉ  Ａｌｌｉａｎｃｅ規格対応インターフェース）のメモリ中に記憶された命令を実施するように構成され得る。特定の実装形態では、プロセッサ６１０は、図３〜図５の方法のうちの１つまたは複数に従って動作するように構成され得る。たとえば、プロセッサ６１０は、図３〜図５の方法のうちの少なくとも１つを実行するためのネイバークエリ／ネイバー報告論理６６４を含み得る。プロセッサ６１０はまた、ネイバー報告６７０および／またはビーコン報告６７２を受信する、決定する、記憶する、および／または取り出す（たとえば、アクセスする）ように構成され得る。たとえば、ネイバー報告６７０および／またはビーコン報告６７２は、メモリ６３２中に記憶され得る。いくつかの実装形態では、ネイバー報告６７０は、例示的な非限定的な例として、第１のネイバー報告１１４および／または第２のネイバー報告１３４を含み得る。他の実装形態では、ビーコン報告６７２は、図１Ａおよび図２の局１２０などの局によって生成されるビーコン報告を含み得る。
【００７６】
[0081]ワイヤレスインターフェース６４０は、プロセッサ６１０とアンテナ６４２とに結合され得る。たとえば、ワイヤレスインターフェース６４０は、アンテナ６４２を介して受信されたワイヤレスデータが、およびプロセッサ６１０に提供され得るように、トランシーバ６４６を介してアンテナ６４２に結合され得る。トランシーバ６４６は、送信機、受信機、またはそれらの組合せを含み得る。トランシーバ６４６は、例示的な非限定的な例として、ネイバー報告、ビーコン報告、ビーコン報告要求フレーム、ネイバークエリ要求、ビーコンメッセージ、プローブメッセージ、高速初期リンクセットアップ（ＦＩＬＳ）発見フレーム、またはそれらの組合せなどのデータをワイヤレスに通信する（たとえば、送信する、および／または受信する）ように構成され得る。たとえば、プロセッサ６１０は、関連付けられた第１のアクセスポイント（たとえば、第１のアクセスポイント１１０）にトランシーバ６４６によってワイヤレスに通信されるべきネイバー報告（たとえば、第２のネイバー報告１３４）を開始するように構成され得る。
【００７７】
[0082]コーダ／デコーダ（コーデック）６３４も、プロセッサ６１０に結合され得る。スピーカー６３６およびマイクロフォン６３８が、コーデック６３４に結合され得る。ディスプレイコントローラ６２６がプロセッサ６１０とディスプレイデバイス６２８とに結合され得る。特定の実装形態では、プロセッサ６１０、ディスプレイコントローラ６２６、メモリ６３２、コーデック６３４、およびワイヤレスインターフェース６４０は、システムインパッケージまたはシステムオンチップデバイス６２２中に含まれる。いくつかの実装形態では、入力デバイス６３０および電源６４４は、システムオンチップデバイス６２２に結合される。さらに、図６に示すように、ディスプレイデバイス６２８、入力デバイス６３０、スピーカー６３６、マイクロフォン６３８、アンテナ６４２、および電源６４４は、システムオンチップデバイス６２２の外部にあり得る。ただし、ディスプレイ６２８、入力デバイス６３０、スピーカー６３６、マイクロフォン６３８、アンテナ６４２、および電源６４４の各々は、インターフェースまたはコントローラなどの、システムオンチップデバイス６２２の少なくとも１つの構成要素に結合され得る。
【００７８】
[0083]説明した態様に関連して、第１の装置は、第１のアクセスポイントから第１のアクセスポイントに関連付けられている局に、局に対するネイバークエリ要求をワイヤレスに通信するための手段を含む。ネイバークエリ要求は、ネイバー報告を取得するために第２のアクセスポイントに照会することを局に行わせる情報を含み得る。局は、第２のアクセスポイントに関連付けられていないことがある。たとえば、ワイヤレスに通信するための手段は、図１Ａおよび図２のアクセスポイント１１０、１３０、図２のアクセスポイント２６０、２７０、２８０、２９０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバークエリ要求をワイヤレスに通信するための別のデバイス、回路、モジュール、または他の命令、あるいはそれらの任意の組合せを含み得る。
【００７９】
[0084]第１の装置はまた、局からネイバー報告を受信するための手段を含む。たとえば、受信するための手段は、図１Ａおよび図２のアクセスポイント１１０、１３０、図２のアクセスポイント２６０、２７０、２８０、２９０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告を受信するための別のデバイス、回路、モジュール、または他の命令、あるいはそれらの任意の組合せを含み得る。
【００８０】
[0085]説明した態様に関連して、第２の装置は、第１のアクセスポイントに関連付けられている局において、第１のアクセスポイントからネイバークエリ要求を受信するための手段を含む。たとえば、受信するための手段は、図１Ａおよび図２の局１２０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバークエリ要求を受信するための別のデバイス、回路、モジュール、または他の命令、あるいはそれらの任意の組合せを含み得る。
【００８１】
[0086]第２の装置はまた、局から第２のアクセスポイントに、ネイバークエリ要求に基づいてネイバー報告要求をワイヤレスに通信するための手段を含む。局は、第２のアクセスポイントに関連付けられていない。たとえば、ワイヤレスに通信するための手段は、図１Ａおよび図２の局１２０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告要求をワイヤレスに通信するための別のデバイス、回路、モジュール、または他の命令、あるいはそれらの任意の組合せを含み得る。
【００８２】
[0087]説明した態様に関連して、第３の装置は、アクセスポイントに関連付けられていない局からアクセスポイントにおいて、ネイバー報告要求を受信するための手段を含む。たとえば、受信するための手段は、図１Ａおよび図２のアクセスポイント１１０、１３０、図２のアクセスポイント２６０、２７０、２８０、２９０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告要求を受信するための別のデバイス、回路、モジュール、または他の命令、あるいはそれらの任意の組合せを含み得る。
【００８３】
[0088]第３の装置はまた、局に、ネイバー報告要求に応答してアクセスポイントのネイバー報告をワイヤレスに通信するための手段を含む。たとえば、ワイヤレスに通信するための手段は、図１Ａおよび図２のアクセスポイント１１０、１３０、図２のアクセスポイント２６０、２７０、２８０、２９０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告をワイヤレスに通信するための別のデバイス、回路、モジュール、または他の命令、あるいはそれらの任意の組合せを含み得る。
【００８４】
[0089]説明した態様に関連して、第４の装置は、第１のアクセスポイントに関連付けられている局において、第２のアクセスポイントからネイバー報告を受信するための手段を含む。局は、第２のアクセスポイントに関連付けられていない。たとえば、受信するための手段は、図１Ａおよび図２の局１２０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告を受信するための別のデバイス、回路、モジュール、または他の命令、あるいはそれらの任意の組合せを含み得る。
【００８５】
[0090]第４の装置はまた、第１のアクセスポイントにネイバー報告をワイヤレスに通信するための手段を含む。たとえば、ワイヤレスに通信するための手段は、図１Ａおよび図２の局１２０、図６のワイヤレスインターフェース６４０、トランシーバ６４６、命令６６８を実行するようにプログラムされたプロセッサ６１０、ネイバークエリ／ネイバー報告論理６６４、ワイヤレス通信デバイス６００、ネイバー報告をワイヤレスに通信するための別のデバイス、回路、モジュール、または他の命令、あるいはそれらの任意の組合せを含み得る。
【００８６】
[0091]図１〜図６のうちの１つまたは複数は、本開示の教示によるシステム、装置、および／または方法を示し得るが、本開示は、これらの示されたシステム、装置、および／または方法に限定されない。本明細書で示し、または説明する図１〜図６のいずれかの１つまたは複数の機能または構成要素は、図１〜図６の別の１つまたは複数の他の部分と組み合わせられ得る。したがって、本明細書で説明するいずれの単一の態様も限定的と解釈されるべきではなく、本開示の態様は、本開示の教示から離れることなく適切に組み合わせられ得る。
【００８７】
[0092]さらに、本明細書で開示された態様に関して説明された様々な例示的な論理ブロック、構成、モジュール、回路、およびアルゴリズムステップは、電子ハードウェア、プロセッサによって実行されるコンピュータソフトウェア、または両方の組合せとして実装され得ることを、当業者は理解されよう。様々な例示的な構成要素、ブロック、構成、モジュール、回路、およびステップについて、上記では概してそれらの機能に関して説明した。そのような機能が、ハードウェアとして実装されるかまたはプロセッサ実行可能命令として実装されるかは、具体的な適用例、およびシステム全体に課せられる設計制約に依存する。当業者は、説明されている機能を具体的な適用例ごとに様々な方法で実装することができるが、そのような実装の決定は、本開示の範囲からの逸脱を引き起こすと解釈されるべきではない。
【００８８】
[0093]本明細書で開示した態様に関して説明した方法またはアルゴリズムのステップは、直接ハードウェアで実施され得るか、プロセッサによって実行されるソフトウェアモジュールで実施され得るか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的（non-transient）（たとえば、非一時的（non-transitory））記憶媒体中に存在し得る。例示的な記憶媒体は、プロセッサが記憶媒体から情報を読み取り、記憶媒体に情報を書き込むことができるようにプロセッサに結合される。代替として、記憶媒体はプロセッサと一体化であり得る。プロセッサおよび記憶媒体は、特定用途向け集積回路（ＡＳＩＣ）の中に存在し得る。ＡＳＩＣはコンピューティングデバイスまたはユーザ端末中に存在し得る。代替として、プロセッサおよび記憶媒体は、コンピューティングデバイスまたはユーザ端末内に個別の構成要素として存在し得る。
【００８９】
[0094]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
[Ｃ１]  第１のアクセスポイントに関連付けられた局において前記第１のアクセスポイントからネイバークエリ要求を受信することと、
前記局が第２のアクセスポイントに関連付けられていない間に、前記局から前記第１のアクセスポイントに前記第２のアクセスポイントのネイバー報告をワイヤレスに通信することと
を備える、方法。
[Ｃ２]  前記第１のアクセスポイントからビーコン報告要求フレームを受信することと、前記ビーコン報告要求フレーム中に含まれるショートネイバー報告（ＳＮＲ）要素識別子（ＩＤ）を検出することとをさらに備え、前記ネイバークエリ要求が、前記ＳＮＲ要素ＩＤによって示され、前記ＳＮＲ要素ＩＤが、前記ビーコン報告要求フレームの測定フィールド中に含まれる、Ｃ１に記載の方法。
[Ｃ３]  前記ネイバークエリ要求に応答して、前記第２のアクセスポイントから前記ネイバー報告を取得するために通信チャネルを走査することをさらに備える、Ｃ１に記載の方法。
[Ｃ４]  前記通信チャネルを使用して前記第２のアクセスポイントによってワイヤレスに通信される、ビーコンメッセージ、プローブ応答メッセージ、または高速初期リンクセットアップ（ＦＩＬＳ）発見フレームのうちの少なくとも１つを受信することをさらに備える、Ｃ３に記載の方法。
[Ｃ５]  前記ネイバークエリ要求に応答して、メモリから記憶されたネイバー報告を取り出すことをさらに備え、前記記憶されたネイバー報告が、前記第２のアクセスポイントの前記ネイバー報告を備える、Ｃ１に記載の方法。
[Ｃ６]  前記ネイバークエリ要求に応答して、前記第２のアクセスポイントから前記局に前記ネイバー報告をワイヤレスに通信することを前記第２のアクセスポイントに行わせるネイバー報告要求をワイヤレスに通信することをさらに備える、Ｃ１に記載の方法。
[Ｃ７]  前記ネイバー報告要求を含むパブリックアクションフレームを生成することをさらに備える、Ｃ６に記載の方法。
[Ｃ８]  前記パブリックアクションフレームが、ベンダー固有のパブリックアクションフレームを備える、Ｃ７に記載の方法。
[Ｃ９]  前記ベンダー固有のパブリックアクションフレームに応答して前記第２のアクセスポイントからメッセージを受信することをさらに備え、前記第２のアクセスポイントと前記局とが異なるベンダーからのものである場合、前記メッセージがアサートされた不適格フラグまたはアサートされた拒否フラグを含む、Ｃ８に記載の方法。
[Ｃ１０]  ビーコンメッセージ、プローブ応答メッセージ、または高速初期リンクセットアップ（ＦＩＬＳ）発見フレーム中で前記第２のアクセスポイントから前記ネイバー報告を受信することをさらに備える、Ｃ１に記載の方法。
[Ｃ１１]  前記ネイバー報告が、前記局によって受信されたパブリックアクションフレーム中に含まれる、Ｃ１０に記載の方法。
[Ｃ１２]  前記パブリックアクションフレームが、ベンダー固有のパブリックアクションフレームを備える、Ｃ１１に記載の方法。
[Ｃ１３]  プロセッサと、
前記プロセッサによってアクセス可能なメモリであって、
第１のアクセスポイントに関連付けられた局において前記第１のアクセスポイントからネイバークエリ要求を受信することと、
前記局が第２のアクセスポイントに関連付けられていない間に、前記局から前記第１のアクセスポイントにワイヤレスに通信されるべき前記第２のアクセスポイントのネイバー報告を開始することと
を行うように前記プロセッサによって実行可能な命令を備えるメモリと
を備える、装置。
[Ｃ１４]  前記第２のアクセスポイントの前記ネイバー報告が、電気電子技術者協会（ＩＥＥＥ）８０２．１１ａｉ規格、ＩＥＥＥ８０２．１１ｋ規格、またはそれらの組合せに準拠している、Ｃ１３に記載の装置。
[Ｃ１５]  前記第２のアクセスポイントからの前記ネイバー報告が、電気電子技術者協会（ＩＥＥＥ）８０２．１１ａｉ規格に準拠しているショートネイバー報告（ＳＮＲ）情報要素（ＩＥ）を備えるか、またはＩＥＥＥ８０２．１１ｋ規格に準拠しているビーコン報告を備える、Ｃ１３に記載の装置。
[Ｃ１６]  前記ネイバークエリ要求に応答して前記第１のアクセスポイントに前記第２のアクセスポイントの前記ネイバー報告をワイヤレスに通信するように構成されたトランシーバをさらに備え、前記第２のアクセスポイントに関連付けられていない前記局が、前記第２のアクセスポイントに関して未認証状態にある、Ｃ１３に記載の装置。
[Ｃ１７]  前記第１のアクセスポイントからビーコン報告要求フレームを受信するように構成されたトランシーバをさらに備え、前記ビーコン報告要求フレームが、前記ネイバークエリ要求を含む、Ｃ１３に記載の装置。
[Ｃ１８]  前記ネイバークエリ要求が、ベンダー指定のフィールドまたは前記ビーコン報告要求フレームの予約済みフィールド中に含まれる、Ｃ１７に記載の装置。
[Ｃ１９]  前記ネイバークエリ要求が、ショートネイバー報告（ＳＮＲ）要素識別子（ＩＤ）によって示され、前記ＳＮＲ要素ＩＤが、前記ビーコン報告要求フレームの測定フィールド中に含まれる、Ｃ１７に記載の装置。
[Ｃ２０]  前記ビーコン報告要求フレームが、電気電子技術者協会（ＩＥＥＥ）８０２．１１ｋ規格に準拠している、Ｃ１７に記載の装置。
[Ｃ２１]  前記命令が、さらに、
前記第１のアクセスポイントから受信された前記ビーコン報告要求フレームに応答してビーコン報告を生成することと、
前記第１のアクセスポイントに前記ビーコン報告をワイヤレスに通信することと、ここにおいて、前記ビーコン報告が、前記第２のアクセスポイントの前記ネイバー報告を備える、
を行うように前記プロセッサによって実行可能である、Ｃ１７に記載の装置。
[Ｃ２２]  前記第１のアクセスポイントが、前記第１のアクセスポイントの第１のネイバー報告によって識別された特定のアクセスポイントを識別するように構成され、前記特定のアクセスポイントが、前記ビーコン報告に基づいて前記第１のアクセスポイントによって識別される、Ｃ２１に記載の装置。
[Ｃ２３]  非一時的コンピュータ可読媒体であって、
プロセッサによって実行されたときに、
第１のアクセスポイントに関連付けられた局において前記第１のアクセスポイントからネイバークエリ要求を受信することと、
前記局が第２のアクセスポイントに関連付けられていない間に、前記局から前記第１のアクセスポイントにワイヤレスに通信されるべき前記第２のアクセスポイントのネイバー報告を開始することと
を前記プロセッサに行わせる命令を備える、非一時的コンピュータ可読媒体。
[Ｃ２４]  前記ネイバークエリ要求が、前記第２のアクセスポイントにネイバー報告要求をワイヤレスに通信することを前記局に行わせる情報、前記第２のアクセスポイントから前記ネイバー報告を受信するために通信チャネルを走査することを前記局に行わせる情報、またはそれらの組合せを含む、Ｃ２３に記載の非一時的コンピュータ可読媒体。
[Ｃ２５]  前記第１のアクセスポイントが、第１のネイバー報告を含み、前記第１のネイバー報告が、電気電子技術者協会（ＩＥＥＥ）８０２．１１ａｉ規格に準拠し、前記ネイバー報告要求が、前記局に前記第２のアクセスポイントの第２のネイバー報告をワイヤレスに通信することを前記第２のアクセスポイントに行わせる第２の情報を含む、Ｃ２４に記載の非一時的コンピュータ可読媒体。
[Ｃ２６]  第１のアクセスポイントに関連付けられた局において前記第１のアクセスポイントからネイバークエリ要求を受信するための手段と、
前記局が第２のアクセスポイントに関連付けられていない間に、前記局から前記第１のアクセスポイントに前記第２のアクセスポイントのネイバー報告をワイヤレスに通信するための手段と
を備える、装置。
[Ｃ２７]  前記ネイバークエリ要求が、前記局のメモリに記憶されたネイバー報告をワイヤレスに通信することを前記局に行わせる情報を含み、前記記憶されたネイバー報告が、前記局によって受信されたビーコン、前記局によって受信された応答、前記局によって受信された高速初期リンクセットアップ（ＦＩＬＳ）発見フレーム、またはそれらの任意の組合せに基づく、Ｃ２６に記載の装置。
[Ｃ２８]  前記第１のアクセスポイントと、前記第２のアクセスポイントと、前記局とのうちの少なくとも２つが、同じベンダーによって製造されるか、同じベンダーによって流通されるか、または同じベンダーによって提供されるソフトウェアに従って動作する、Ｃ２６に記載の装置。
[Ｃ２９]  前記ネイバー報告が、電気電子技術者協会（ＩＥＥＥ）８０２．１１ｋ規格に準拠している、Ｃ２８に記載の装置。
[Ｃ３０]  前記第２のアクセスポイントが、隣接アクセスポイントから受信されたネイバー報告、前記第２のアクセスポイントに関連付けられた特定の局から受信されたビーコン報告、またはそれらの組合せに基づいてアクセスポイントを識別するために前記第２のアクセスポイントの前記ネイバー報告を生成するように構成された、Ｃ２６に記載の装置。
【図１Ａ】
0006290439.tif 000002
【図１Ｂ】
0006290439.tif 000003
【図２】
0006290439.tif 000004
【図３】
0006290439.tif 000005
【図４】
0006290439.tif 000006
【図５】
0006290439.tif 000007
【図６】
0006290439.tif 000008